(57)【要約】【課題】マルチ画面表示器に表示されたマルチ画面映像中に、部分詳細を示す第２の映像を縮小表示するとき、縮小による解像度の低下のため細部の視認が困難になると言う課題があった。【解決手段】複数の要素画面１０１〜１０６をシームレスに配列して構成したマルチ画面表示器６０の全体に第１の映像２０１が表示されているときに、この画面上で画面操作装置３が選択した位置に、部分詳細を示す第２の映像２０２を表示しようとするとき、画面制御装置２が要素画面の大きさいっぱいに第２の映像を表示し、縮小表示をしないようにしたので、第２の映像２０２を常に最良の解像度で視認することが出来る。【選択図】        図１
2004177614.tif 000002
【特許請求の範囲】
【請求項１】
同じ大きさの複数の要素画面を配列して構成したマルチ画面表示器、
前記マルチ画面表示器全体を１画面とする任意の第１の映像を出力する画面表示装置、
前記複数の要素画面の中から第２の映像を表示させる要素画面を選択する画面操作装置、
前記マルチ画面表示器に前記第１の映像を表示するとともに、表示した前記第１の映像の内、前記選択した要素画面に表示された部分の表示を停止し、前記第２の映像の映像データを提供する映像情報源を選択して、この第２の映像を前記選択された要素画面の画面全体に表示する画面制御装置を備え、
前記第２の映像を表示する大きさを常に前記要素画面の大きさとして表示するように構成したことを特徴とするマルチ画面表示装置。
【請求項２】
同じ大きさの複数の要素画面を配列して構成したマルチ画面表示器、
前記マルチ画面表示器全体を１画面とする任意の第１の映像と、前記マルチ画面表示器の一部分を一画面とする任意の第３の映像とを出力する第２画面表示装置、
前記複数の要素画面の中から第２の映像を表示させる画面として前記マルチ画面表示器の端にある要素画面を優先して選択する第２画面操作装置、
前記マルチ画面表示器に前記第１の映像を表示するとともに、表示した第１の映像の表示を停止し、前記第２の映像の映像データを提供する映像情報源を選択して、この第２の映像を前記選択された要素画面の画面全体に表示し、更に前記選択された要素画面を除く前記マルチ画面表示器に前記第３の映像を表示する第２画面制御装置を備え、
前記第２の映像を表示する大きさを常に前記要素画面の大きさとするとともに、どの画面も他の画面により覆われることがないようにしたことを特徴とするマルチ画面表示装置。
【請求項３】
同じ大きさの複数の要素画面を配列して構成したマルチ画面表示器、
前記マルチ画面表示器全体を１画面とする任意の第１の映像を出力する画面表示装置、
前記複数の要素画面の中から第２の映像を表示させる画面として前記マルチ画面表示器の端にある要素画面を優先して選択する第２画面操作装置、
前記マルチ画面表示器に前記第１の映像を表示するとともに、表示した前記第１の映像の表示を停止して、前記第２の映像の映像データを提供する映像情報源を選択し、この第２の映像を前記選択された要素画面の画面全体に表示し、更に、前記選択された要素画面を除く前記マルチ画面表示器に前記第１の映像を縮小表示する第３画面制御装置を備え、
前記第２の映像を表示する大きさを常に前記要素画面の大きさとするとともに、前記第１，第２の画面が互いの画面により覆われることがないようにしたことを特徴とするマルチ画面表示装置。
【請求項４】
同じ大きさの複数の要素画面を配列して構成したマルチ画面表示器、
前記マルチ画面表示器全体を１画面とする任意の第１の映像を出力する画面表示装置、
前記複数の要素画面の中から第２の映像を表示させる要素画面を選択する画面操作装置、
前記マルチ画面表示器に前記第１の映像を表示するとともに、外部からの指令に従い、前記表示した第１の映像の内、前記選択した要素画面に表示された部分の表示を停止し、前記選択された要素画面に表示する第２の映像の映像データを提供する映像情報源を選択して、この第２の映像を前記選択した要素画面の画面全体に表示する第４画面制御装置、
表示されている全ての画像を判定して、予め定めた条件が整ったとき前記第４画面制御装置に指令を出力し、前記第２の映像の表示を停止させるか、又は第２の映像の表示位置を変更させる条件判定装置を備えたことを特徴とするマルチ画面表示装置。
【請求項５】
同じ大きさの複数の要素画面を配列して構成したマルチ画面表示器、
前記マルチ画面表示器全体を１画面とする任意の第１の映像を出力する画面表示装置、
前記複数の要素画面の中から第２の映像を表示させる要素画面を選択する画面操作装置、
前記第１の映像を表示するとともに、外部からの指令に従い、前記表示した第１の映像の内、前記選択した要素画面に表示された部分の表示を停止し、前記選択された要素画面に表示する第２の映像の映像データを提供する映像情報源を選択して、この第２の映像を前記選択された要素画面の画面全体に表示する第４画面制御装置、
表示されている全ての画像を判定して、予め定めた条件が整ったとき前記第４画面制御装置に指令を出力し、前記第１の映像の表示位置を前記要素画面の幅単位で移動させる第２条件判定装置を備えたことを特徴とするマルチ画面表示装置。
【請求項６】
前記予め定めた条件は、前記第１の映像の表示を停止した部分に警報表示が存在することであることを特徴とする請求項４または５に記載のマルチ画面表示装置。
【請求項７】
前記予め定めた条件は、前記第１の映像の表示を停止した部分にカーソルが存在することであることを特徴とする請求項４または５に記載のマルチ画面表示装置。
【発明の詳細な説明】
【０００１】
【発明の属する技術分野】
この発明は、各種プラント、各種交通システム、各種軍用監視装置などの運転及び監視制御のためのマルチ画面表示装置に関するものである。
【０００２】
【従来の技術】
例えば水処理プラントなど産業プラントの運転／監視／制御を行う場合、多数の運転員などが同時に同じ画面を見ることが出来るよう大型表示装置にシステム図や監視カメラの画像、データなどを必要に応じて切り替え表示するものが使用されている。  このような用途に用いられる大型表示装置の内、複数の小型画面を配列し、つなぎ合わせて一つの大型画面としたものをマルチ画面（又はマルチ大画面）と呼び、このマルチ画面を用いてプラントなどの監視制御を行うための表示装置としたものをマルチ画面表示装置（またはマルチ大画面表示装置）と呼ぶ。
【０００３】
例えば特許文献１の第７図に開示された従来のマルチ画面表示装置とその表示動作について説明する。以下、従来の技術の説明で用いている符号は特許文献１に記載されている符号である。特許文献１の第７図において、監視対象のプラント８と、このプラント８からデータを取り込むプロセス入力装置５ａ，５ｂ、取り込んだデータを処理／編集する計算機５０ａ、５０ｂ、計算機により編集されたデータを表示するＣＲＴコントローラ３０ａ，３０ｂ、計算機により編集されたデータを大型ディスプレイ１ａ，１ｂへ表示する大型ディスプレイコントローラ１０ａ，１０ｂが記載されている。また同文献第７図には従来のマルチ大画面プラント監視制御装置の大型ディスプレイ１の表示例、即ち、大型ディスプレイ１ａ，１ｂに表示された大画面１１のところどころに、ＣＲＴの表示画面３１、３２、３３，３４、３５が表示されているものが示されている。
【０００４】
大画面１１にはプラントの全体を示す画面が表示され、この画面により、運転員はプラントの全体的把握を容易に行うことが出来る。大画面のところどころには  ＣＲＴ画面３１〜３５が、大画面１１上の関連した表示の近くの位置に縮小表示されて、より詳細な部分状況や各種のデータなどが表示されている。しかし、ＣＲＴ画面は本来１台のモニター上に表示される画像データを大画面内の一部に縮小して表示しているため、解像度が低下して判読しがたい、汚い画面となるという問題があり、詳細を確認するためには結局、他に設けた１台のモニターの画面いっぱいに写されたものを読み直さなければならないと言う課題があった。
また、大画面上にＣＲＴ画面の表示がされているとき、このＣＲＴ画面の下の大画面は見ることが出来ず、運転上支障を来さないとは言い切れないと言う課題があった。
【０００５】
【特許文献１】
特公平６−９３１７２号  第３図、第７図
【０００６】
【発明が解決しようとする課題】
従来のマルチ画面表示装置は以上のようになっているので、ＣＲＴ画面を操作員全員が画面上で見ることができるものの、ＣＲＴの画面を縮小するため表示が汚くなり、見にくいという課題があった。またＣＲＴの画面によって大画面の画面が隠されてしまい全体監視を効果的に行うことが難しくなるという課題があった。
【０００７】
この発明は上記のような課題を解決するためになされたものであり、ＣＲＴの画面をマルチ画面へ表示するとき、ＣＲＴ画面の見やすさを損なうことなく、かつ、マルチ画面の表示の利点である全体監視を効果的に行なうことを妨げないマルチ画面表示装置を提供することを目的とするものである。
【０００８】
【課題を解決するための手段】
この発明によるマルチ画面表示装置は、同じ大きさの複数の要素画面を配列して構成したマルチ画面表示器、
前記マルチ画面表示器全体を１画面とする任意の第１の映像を出力する画面表示装置、
前記複数の要素画面の中から第２の映像を表示させる要素画面を選択する画面操作装置、
前記マルチ画面表示器に前記第１の映像を表示するとともに、表示した前記第１の映像の内、前記選択した要素画面に表示された部分の表示を停止し、前記第２の映像の映像データを提供する映像情報源を選択して、この第２の映像を前記選択された要素画面の画面全体に表示する画面制御装置を備え、
前記第２の映像を表示する大きさを常に前記要素画面の大きさとして表示するように構成したものである。
第２の映像は、常に要素画面の大きさで表示されるので、第２の映像が読みにくいと言うことは生じなくなる。
【０００９】
【発明の実施の形態】
実施の形態１．
以下、この発明の実施の形態１のマルチ画面表示装置について、図１により説明する。図１において、マルチ画面表示器６０（説明の都合上、区別するため大画面表示器、又は単に大画面と言う場合もある）は同じ大きさの第１〜第６小型プロジェクタスクリーン（以下第１〜第６要素画面という）１０１〜１０６を密着して配列し、シームレスに（継ぎ目が目立たないように）配列することにより、一つのマルチ画面映像として表示することが可能である。マルチ画面表示器６０には、以下に説明する各装置（ＣＲＴ監視制御装置５１，５２，ＩＴＶカメラ６１，６２など）から送られてくる画像（ソフトのことを言い第２の映像２０２という）を処理してマルチ画面表示器６０に表示させる画面制御装置２が接続されている。
なお、第１〜第６要素画面１０１〜１０６のそれぞれは、それ単独ですくなくとも１台のＣＲＴ表示器が持つ解像度と画面サイズとを備えている。
【００１０】
画面制御装置２には、図示しないオペレータの指定に基づき指定した装置からの入力信号をマルチ画面表示器６０上の指定の第１〜第６要素画面１０１〜１０６のいずれかへ表示させるように画面制御装置２を制御する画面操作装置３が接続されている。
また、画面制御装置２には、プラント信号をコントローラ８１，８２から受け取りマルチ画面表示器６０に一つのマルチ画面映像１００として表示するためのプラント全体を示す監視画面（マルチ画面とも言う）など（第１の映像２０１という）の映像信号を出力する画面表示装置４も接続されている。
画面制御装置２には前記画面表示装置４から出力される映像信号の他に、プラント信号をコントローラ８１，８２から制御ＬＡＮ７を介して受け取り、図示しないＣＲＴへプラント監視画面などを表示するＣＲＴ監視装置５１，５２からの信号と、プラントの映像をカメラで取り込むＩＴＶカメラ６１，６２からの信号とが入力される。これらの装置を総称して映像情報源とも言う。
【００１１】
次に動作について図２，図３，図４に基づいて説明する。実施の形態１ではマルチ画面表示器６０として横３面、縦２面の計６面のプロジェクタ（要素画面）を繋いだものを例として説明する。もちろんマルチ画面表示器６０はもっと大きい場合もある。図２は表示方法とそのための動作の流れを説明するフロー図である。図３は画面操作装置３の操作例を説明する操作画面例である。図４はマルチ画面映像１００の表示状態を説明する表示例である。
通常（通常とは、特に警報などのアラームが表示されていない定常運転状態を言う）の監視状態ではマルチ画面映像１００としては、画面表示装置４が持つマルチ画面の監視画面（ソフトのことを言い第１の映像２０１という）が表示されている。第１の映像２０１は、主にプラントの全体をマクロ監視するために用いられ、全体の様子を容易に把握することができる映像である。また、ＣＲＴ監視装置５１、５２やＩＴＶカメラ６１，６２の監視映像（第２の映像２０２）にはプラントを構成している各個別の設備の詳細な監視画面が表示されており、より詳細な情報を得ることができる。
【００１２】
ここでＣＲＴ監視装置５１，５２の画面やＩＴＶカメラ６１，６２の監視映像（第２の映像２０２）をマルチ画面表示器６０上に表示することで、詳細な情報を複数の運転員で共有しようとする場合、まず図３のステップＳ０で、運転員（オペレータ）が画面操作装置３に、表示したい第２の映像の情報源（ＣＲＴ監視装置やＩＴＶカメラなどの信号源）の番号を入力する。次にステップＳ１で、この映像を表示したいマルチ画面表示器６０上の表示したい面の位置（要素画面の番号）を入力する。このとき第１の映像２０１の上の見えなくなつても支障のない表示位置を選ぶ。次にステップＳ２で、画面操作装置３は入力された装置番号（入力信号源）と表示位置（出力先）を画面制御装置２に通知する。通知を受けた画面制御装置２は表示している第１の映像２０１の内、選択された要素画面に表示されている部分のみ表示を停止する。
【００１３】
更に、画面制御装置２は通知された情報に基づき、入力信号と出力先を切替えてマルチ画面表示器６０の選択された要素画面に、この要素画面の画面いっぱいに第２の映像を表示する（Ｓ３）。
図４に、第１要素画面１０１にＣＲＴ監視装置５１の映像（第２の映像２０２）９１を、第４要素画面１０４にＩＴＶカメラ６１の映像（第２の映像２０２）９２をそれぞれ要素画面いっぱいに表示した例を示す。この場合残りの第２〜第３、第５〜第６の要素画面にはもとのマルチ画面（第１の映像２０１）の表示がなされている。
画像／映像の表示先の指定は要素画面単位で行い、１つの要素画面のごく一部分だけを表示に使うような指定（縮小表示の指定）はしないので、要素画面に表示された画像は少なくとも１台のＣＲＴ表示器に表示されたものと同等の解像度で表示される。
【００１４】
以上のように本発明のマルチ画面表示方法によれば、ＣＲＴ監視装置の監視画面やＩＴＶカメラの映像をマルチ画面内に、要素画面の大きさ単位で表示することができるので縮小されて見にくくなると言うことは解消され、必要な情報をオペレータ間で共有し、プラント監視の効果を高めることができる。
【００１５】
実施の形態２．
次に実施の形態２のマルチ画面表示装置について図５により説明する。図６は本実施の形態の表示方法を行う際のフロー図である。以下各実施の形態のフロー図において同じステップ番号のフローは同じ内容であることを示す。図６のステップＳ０は実施の形態１の図２のステップＳ０と同じなので詳細な説明を省略する。
まず事前に、第２画面表示装置７４は全体監視用の第１の映像２０１の他に、第１の映像２０１を簡略化して、マルチ画面表示器６０の一部に丁度はいる大きさの中サイズの画面（ここで言う中サイズについては後述する。以下第３の映像２０３と言う）をも作成して記憶し、必要に応じ切り替え出力できる。
ステップ（Ｔ１）は実施の形態１の図２のステップＳ１と似た内容ではあるが、選択した第２の映像を表示する表示位置を、第２大画面走査装置７３が選択するに際し、マルチ画面１００の端の位置（どちらの端でも良い）から順次選択するようにしたものである。
次に、第２画面操作装置７３は選択された入力信号と出力信号の出力先を第２画面制御装置７２および第２画面表示装置７４に通知する。通知を受けた第２画面制御装置７２は表示していたマルチ画面映像１００の第１の映像２０１の表示を全部停止し、次に、通知された情報に基づき、入力信号と出力先を切替えてマルチ画面表示器６０の選択された要素画面へ第２の映像２０２を表示する（Ｓ３）。そして第２画面表示装置７４は選択されて第２の映像２０２が表示された要素画面以外の残りの画面に表示されるように、予め簡略化され記憶していた全体監視用の第３の映像２０３を出力し、第２画面制御装置７２がこれをマルチ画面表示器６０の空いている部分に表示する（Ｔ４）。
【００１６】
ここで中サイズの第３の映像２０３とは、例えば幅２面に減らした４面表示用のマルチ画面映像、幅１面にした２面表示用のマルチ画面映像というように小さくなった画面に必要最小限の表示を行うことが出来るよう、あらかじめ、事前に作成して記憶されていた中サイズの全体監視用画面を言う。表示の大きさはマルチ画面１００に比べて小さいが、予め検討して必要な部分は残してあるので一時的な表示としてはプラントの監視／操作を妨げることはない。
図７に第１要素画面１０１にＣＲＴ監視装置５１の画面（第２の映像）、第４要素画面０１４にＩＴＶカメラ６１の映像（第２の映像）、残りの４つの面に第３の映像２０３（マルチ画面表示装置の記憶している監視画面）を表示した例を示す。選択され第２の映像が表示された画面の数が奇数の場合、残りの１面を空白としてもよい。
【００１７】
以上のように本発明によれば、ＣＲＴ監視装置の監視画面やＩＴＶカメラの映像を要素画面単位で大きく表示することができ、かつ全体監視画面も予め用意された次善の画面が表示されるので、互いの画面が重なると言うことがなく、プラント監視の効果を高めることができる。また、マルチ画面は必要な部分を確保した簡素な画面２０３が表示されるのでプラント全体の監視に支障を来すことがない。
【００１８】
実施の形態３．
次に実施の形態３のマルチ画面表示装置について図８〜図１０により説明する。図９は本実施の形態の動作を示すフロー図、図１０はマルチ画面の表示例を示す図である。
図９のステップＳ０，Ｔ１，Ｓ２，Ｓ３は実施の形態１，２で説明したステップと同じなので詳細な説明を省略する。図９のステップＴ１までは実施の形態２と同じ、ステップＳ２，Ｓ３は実施の形態１の図２のフローと同じである。
ステップＵ４で、第３画面制御装置８０は、マルチ画面表示器６０の空いている（表示がされてない）エリアに入るようにマルチ画面の画像を縮小した表示９８を行う。空いている部分の形により縮小の仕方はさまざまに考えられるが、入りさえすれば縮小の仕方は任意である（Ｕ４）。
図１０に第１要素画面１０１にＣＲＴ監視装置５１の画面、第４要素画面１０４にＩＴＶカメラ６１の映像、残りの４面に画面表示装置４の出力したマルチ画面を縮小したものを表示した例を示す。図１０では縮小画面９８は上端に記載しているが、残りの４面のどの位置（上下）に縮小画面を表示するかは任意である。
ＣＲＴ監視装置の画面や、ＩＴＶカメラの画面（第２の映像）が更に増えた場合も、その都度、適宜、空いている残りの画面の配置形状と大きさから必要な縮小寸法を判断してちょうど収まる寸法に縮小する。
【００１９】
以上のように本発明によれば、ＣＲＴ監視装置の監視画面やＩＴＶカメラの映像をマルチ画面に大きく表示し、かつ全体監視画面も重なって隠れる部分は生ぜず、また一部カットすることなしに表示することができるため、プラント監視の効果を高めることができる。また実施の形態２の表示方法のように、マルチ画面の監視画面をあらかじめ複数通り作成しておく必要がないという利点も得られる。
【００２０】
実施の形態４．
次に実施の形態４のマルチ画面表示装置について図１１により説明する。図１２は動作を説明するフロー図、図１３は画面の表示例を示す図である。
ステップＳ０〜Ｓ３までは実施の形態１の図２と同じであるが、要点を再度、簡略に説明する。
オペレータは画面操作装置３から表示したい第２の情報の情報源（ＣＲＴ監視装置やＩＴＶカメラ）を選択し（Ｓ０）、またマルチ画面表示器６０上の表示したい要素画面を選択する（Ｓ１）。画面操作装置３は選択された入力信号と出力信号の出力先を第４画面制御装置９２に通知し、通知を受けた第４画面制御装置はマルチ画面の一部の表示を停止する（Ｓ２）。第４画面制御装置９２は通知された情報に基づき、入力信号と出力先を切替えてマルチ画面表示器６０の選択された要素画面へ表示する（Ｓ３）。ここまでの状態では実施の形態１の図４と同じ表示状態になっている。
【００２１】
この状態でマルチ画面映像１００の画面上に表示されていた機器などで故障や注意事象など、何らかの追加表示がなされる事象が発生したとする。条件判定装置７０は常に画面全体を監視しているので、発生した追加表示に関連するシンボルの表示位置を調べる（Ｖ４）。調べた表示位置が先に表示したＣＲＴ監視装置やＩＴＶカメラの画面の下に隠れておれば（このように追加表示がなされて、しかもそれが第２の映像により隠されていることを本発明では予め定めた条件が整うと称している）、第４画面制御装置９４に隠れている面の位置番号と、隠れなくするために変更（消去または移動）する出力先位置番号とを通知する（Ｖ５）。第４画面制御装置９２は通知に基づき、シンボルを隠しているＣＲＴ監視装置やＩＴＶカメラの画面（第２の映像）を消去するか、または、表示している要素画面の位置を変更（移動）する（Ｖ６）。
【００２２】
図１３（ａ）に第１要素画面１０１にＣＲＴ監視装置５１の画面９０を表示し、第４要素画面１０４に  ＩＴＶカメラ６１の映像を表示した状態で、第１，第４要素画面上の位置の第１の映像２０１上にアラーム９６が発生した場合を示し、図１３（ｂ）に、その後、第１要素画面１０１のＣＲＴ監視装置の画面９０を第２要素画面１０２の画面に移動した（９０ａ）動作の例を示す。
以上のように本発明によれば、重なっている下の画像に生じたアラーム表示を必ず見ることが出来、縮小などを行なわない、見やすい画面で、アラーム発生などの重要な情報を逃すことなく監視が可能である。
【００２３】
実施の形態５．
次に実施の形態５について図１４により説明する。図１５は本実施の形態の動作を示すフロー図である。画面操作装置３により、表示したい第２の映像の情報源（ＣＲＴ監視装置やＩＴＶカメラ）を選択し（Ｓ０）、また、選択した第２の映像をマルチ画面１００上の表示したい位置を選択する（Ｓ１）。画面操作装置３は選択された入力信号と出力信号の出力先を第４画面制御装置９２に通知する（Ｓ２）。第４画面制御装置９２は通知された情報に基づき、入力信号と出力先を切替えてマルチ画面表示器６０へ表示する（Ｓ３）。ここまでは実施の形態１の説明と同じである。
【００２４】
この状態で図１６（ａ）のように、マルチ画面映像１００上の第２の映像の下に隠れている部分に本来、写っている機器で故障などが発生し、これを表示するアラームシンボル９６が生じたとする。むろんアラームシンボル９６も隠れていて見えない。第２条件判定装置７１は発生した故障に関連するシンボル９６の表示位置を調べる（Ｖ４）。調べた結果、所定の条件を満たすなら（この場合、条件とはシンボルが発生ししかもそれが隠れていること）第４画面制御装置９２にマルチ画面の出力先の変更を通知する（Ｗ５）。第４画面制御装置９２は通知に基づき、画面表示装置４の表示出力先を変更（例えば図１６（ｂ）に示すように移動させる）する（Ｗ６）。図１６（ａ）に第１要素画面１０１に  ＣＲＴ監視装置５１の画面（第２の映像）、第４要素画面１０４にＩＴＶカメラ６１の映像（第２の映像）を表示した状態で、マルチ画面の監視画面の第１要素画面１０１に隠れた部分でアラーム９６が発生した状態を示し、図１６（ｂ）にマルチ画面映像２０１を移動した場合の動作の例を示す。第１の映像の右端は移動したため消えるが、当面のアラーム９６の対応上支障はない。
【００２５】
以上のように本発明によれば、縮小などを行なわない、見やすい画面で、アラーム発生などの重要な情報を逃すことなく監視が可能である。
【００２６】
実施の形態６．
次に実施の形態６について説明する。本実施の形態のマルチ画面表示装置の構成は図１１と同じである。図１７は本実施の形態の動作を示すフロー図である。画面操作装置３上で表示したい第２の映像の情報源（ＣＲＴ監視装置やＩＴＶカメラ）を選択し（Ｓ０）、またマルチ画面表示器６０上の表示したい要素表示面を選択する（Ｓ１）。画面操作装置３は選択された入力信号と出力信号の出力先を第４画面制御装置９２に通知する（Ｓ２）。第４画面制御装置は通知された情報に基づき、入力信号と出力先を切替えてマルチ画面表示器６０へ表示する（Ｓ３）。ここまでは実施の形態１と同じである。
【００２７】
この状態でマルチ画面表示器６０上に表示されているカーソル８９を監視画面の隠れている部分へ移動したとする（Ｘ４）、条件判定装置７０はカーソル８９の位置を監視しており、これが所定の条件を満たす（この場合、カーソル８９が監視画面の第２の映像によって隠されている部分に移動したこと）ことを検知した時は、第４画面制御装置９２に隠している第２の映像の位置と、次に変更する出力先（例えば要素画面番号を１増やす）を通知する（Ｘ５）。第４画面制御装置９２は通知に基づき、カーソル８９を隠している第２の映像の画面を消去または、移動を行なう（Ｘ６）。
図１８（ａ）に第１要素画面１０１にＣＲＴ監視装置５１の画面（第２の映像）、第４要素画面１０４にＩＴＶカメラ６１の映像（第２の映像）を表示した状態で第２要素画面１０２上にカーソル８９ｔがある状態を示し。図１８（ｂ）にカーソル８９を第１要素画面１０１へと移動した結果、第１要素画面上の第２の映像を第２要素画面１０２へと移動した例を示す。
【００２８】
以上のように本発明によれば、画像が重なっていても画像上のカーソルを移動させると簡単な操作で表示位置の制御を行なうことが出来るため、効率よくマルチ画面での監視を行なうことができる。
【００２９】
実施の形態７．
次に実施の形態７について説明する。本実施の形態の構成は図１４と同じである。図１５は本実施の形態の動作を示すフロー図である。画面操作装置３により表示したい第２の映像の情報源（ＣＲＴ監視装置や  ＩＴＶカメラ）を選択し（Ｓ０）、またマルチ画面表示器６０上の表示したい要素表示面を選択する（Ｓ１）。画面操作装置３は選択された入力信号と出力信号の出力先を第４画面制御装置９２に通知する（Ｓ２）。そして通知された情報に基づき、入力信号と出力先を切替えてマルチ画面表示器６０へ表示する（Ｓ３）。ここまでは実施の形態１の説明と同じ。
【００３０】
この状態でマルチ画面表示器上に表示されているカーソル８９を監視画面の隠れている部分へ移動したとする（Ｘ４）、第２条件判定装置７１はカーソルの位置を監視しており、カーソルが監視画面の隠れている部分に移動したことを検知した時は、第４画面制御装置９２にマルチ画面表示装置の画面の出力先を通知（指令）する（Ｙ５）。第４画面制御装置９２は通知に基づき、マルチ画面表示器６０の画面の出力先を変更する（Ｙ６）。
図２０（ａ）に第１要素画面１０１にＣＲＴ監視装置５１の画面、４面目に  ＩＴＶカメラ６１の映像を表示した状態で、第２要素画面１０２上にカーソル８９のある状態を示し、図２０（ｂ）に第１要素画面１０１へカーソル８９を移動した結果、マルチ画面の監視画面が右へ１画面分移動した場合の動作の例を示す。結果としてカーソル８９は移動した後のマルチ画面上にあり再び幹側へ移動する。
【００３１】
以上のように本発明によれば、画像が重なっていても、画像上のカーソルの移動により簡単な操作で表示位置の制御を行なうことが出来るため、効率よくマルチ画面での監視を行なうことができる。また、ＣＲＴ監視装置５１の画面やＩＴＶカメラ６１の映像表示位置が切り替わらないため、視線の移動がなくわずらわしくない。
【００３２】
【発明の効果】
以上のように本発明のマルチ画面表示装置によれば、ＣＲＴ監視装置の監視画面やＩＴＶカメラの映像を、常に要素画面いっぱいの大きさでマルチ画面上に表示することができるので、常に見やすい映像となり、必要な情報をオペレータ間で共有し、プラント監視の効果を高めることができる。
【図面の簡単な説明】
【図１】この発明の実施の形態１のマルチ画面表示装置の構成を説明するためのシステムブロック図である。
【図２】図１の表示装置の動作フロー図を示す。
【図３】図２のフローを実行する操作画面例を示す。
【図４】図２のフローにより表示されるマルチ画面の映像例である。
【図５】この発明の実施の形態２のマルチ画面表示装置の構成を説明するためのシステムブロック図である。
【図６】図５の表示装置の動作フロー図を示す。
【図７】図５のフローにより表示されるマルチ画面の映像例である。
【図８】この発明の実施の形態３のマルチ画面表示装置の構成を説明するためのシステムブロック図である。
【図９】図８の表示装置の動作フロー図を示す。
【図１０】図９のフローにより表示されるマルチ画面の映像例である。
【図１１】この発明の実施の形態４のマルチ画面表示装置の構成を説明するためのシステムブロック図である。
【図１２】図１１の表示装置の動作フロー図を示す。
【図１３】図１２のフローにより表示されるマルチ画面の映像例である。
【図１４】この発明の実施の形態５のマルチ画面表示装置の構成を説明するためのシステムブロック図である。
【図１５】図１４の表示装置の動作フロー図を示す。
【図１６】図１５のフローにより表示されるマルチ画面の映像例である。
【図１７】実施の形態６の表示装置の動作フロー図を示す。
【図１８】図１７のフローにより表示されるマルチ画面の映像例である。
【図１９】この発明の実施の形態７の表示方法のフロー図を示す。
【図２０】図１９のフローにより表示されるマルチ画面の映像例である。
【符号の説明】
２  画面制御装置、    ３  画面操作装置、
４  画面表示装置、  ６０  マルチ画面表示器、
７０  条件判定装置、    ７１  第２条件判定装置、
７２  第２画面制御装置、    ７３  第２画面操作装置、
７４  第２画面表示装置、
８０  第３画面制御装置、    ９２  第４画面制御装置、
８９  カーソル、    ９６  アラームシンボル、    ９８  縮小表示画面、
１０１〜１０６  第１〜第６要素画面、  ２０１  第１の映像、
２０２  第２の映像、    ２０３  第３の映像。
【図１】
2004177614.tif 000003
【図２】
2004177614.tif 000004
【図３】
2004177614.tif 000005
【図４】
2004177614.tif 000006
【図５】
2004177614.tif 000007
【図６】
2004177614.tif 000008
【図７】
2004177614.tif 000009
【図８】
2004177614.tif 000010
【図９】
2004177614.tif 000011
【図１０】
2004177614.tif 000012
【図１１】
2004177614.tif 000013
【図１２】
2004177614.tif 000014
【図１３】
2004177614.tif 000015
【図１４】
2004177614.tif 000016
【図１５】
2004177614.tif 000017
【図１６】
2004177614.tif 000018
【図１７】
2004177614.tif 000019
【図１８】
2004177614.tif 000020
【図１９】
2004177614.tif 000021
【図２０】
2004177614.tif 000022